(57)【特許請求の範囲】
【請求項１】
少なくとも１つの第１のチャネルデータと第２のチャネルデータとからなる送信データを生成して出力するベースバンド回路と、前記送信データを送信チャネル毎に異なる拡散コードを用いて拡散する拡散手段と、送信データレートによって決められた組み合わせの２つのゲインファクタを用いて前記第１のチャネルデータと前記第２のチャネルデータとの振幅をそれぞれ重みづけする乗算手段と、前記乗算手段にて振幅が重みづけされた前記第１のチャネルデータと前記第２のチャネルデータとをデジタル変調するデジタル変調手段と、前記デジタル変調手段にてデジタル変調された前記第１のチャネルデータと前記第２のチャネルデータとを直交変調して送信信号として出力する直交変調器と、前記直交変調器から出力された送信信号を電波として放射するためのアンテナとを少なくとも有してなる送信回路において、
前記直交変調器から出力された送信信号を制御電圧に基づく利得で増幅して出力する増幅手段と、前記第２のチャネルデータ成分の送信電力値を決定する送信レベル回路と、
前記送信データレートによって決められた組み合わせの２つのゲインファクタを用いて、前記アンテナ端における前記第２のチャネルデータ成分の送信電力が前記送信データレートによらずに一定となるように前記増幅手段の利得を制御するための第１のゲイン補正量を前記送信レベル回路にて決定された送信電力値に加算して出力する第１のゲインオフセット回路と、
前記第１のゲインオフセット回路から出力された送信電力値に基づいて、前記増幅手段の利得を制御するための電圧を生成する電圧生成回路とを有し、
前記アンテナは、前記直交変調器から出力され、前記増幅手段にて増幅された送信信号を電波として放射することを特徴とする送信回路。
【請求項２】
少なくとも１つの第１のチャネルデータと第２のチャネルデータとからなる送信データを生成して出力するベースバンド回路と、前記送信データを送信チャネル毎に異なる拡散コードを用いて拡散する拡散手段と、送信データレートによって決められた組み合わせの２つのゲインファクタを用いて前記第１のチャネルデータと前記第２のチャネルデータとの振幅をそれぞれ重みづけする乗算手段と、前記乗算手段にて振幅が重みづけされた前記第１のチャネルデータと前記第２のチャネルデータとをデジタル変調するデジタル変調手段と、前記デジタル変調手段にてデジタル変調された前記第１のチャネルデータと前記第２のチャネルデータとを直交変調して送信信号として出力する直交変調器と、前記直交変調器から出力された送信信号を電波として放射するためのアンテナとを少なくとも有し、前記乗算手段が、前記送信データレートによって決められたゲインファクタの組み合わせの比率を変えることなく、かつ、前記直交変調器から出力される送信信号の電力が前記送信データレートによらずに一定となるようなゲインファクタを用いて前記第１のチャネルデータと前記第２のチャネルデータとの振幅をそれぞれ重みづけする送信回路において、
前記直交変調器から出力された送信信号を制御電圧に基づく利得で増幅して出力する増幅手段と、
前記第２のチャネルデータ成分の送信電力値を決定する送信レベル回路と、
前記送信データレートによって決められた組み合わせの２つのゲインファクタを用いて、前記アンテナ端における前記第２のチャネルデータ成分の送信電力が前記送信データレートによらずに一定となるように前記増幅手段の利得を制御するための第１のゲイン補正量を前記送信レベル回路にて決定された送信電力値に加算して出力する第１のゲインオフセット回路と、
前記第１のゲインオフセット回路から出力された送信電力値に基づいて、前記増幅手段の利得を制御するための電圧を生成する電圧生成回路とを有し、
前記アンテナは、前記直交変調器から出力され、前記増幅手段にて増幅された送信信号を電波として放射することを特徴とする送信回路。
【請求項３】
少なくとも１つの第１のチャネルデータと第２のチャネルデータとからなる送信データを生成して出力するベースバンド回路と、前記送信データを送信チャネル毎に異なる拡散コードを用いて拡散する拡散手段と、送信データレートによって決められた組み合わせの２つのゲインファクタを用いて前記第１のチャネルデータと前記第２のチャネルデータとの振幅をそれぞれ重みづけする乗算手段と、前記乗算手段にて振幅が重みづけされた前記第１のチャネルデータと前記第２のチャネルデータとをデジタル変調するデジタル変調手段と、前記デジタル変調手段にてデジタル変調された前記第１のチャネルデータと前記第２のチャネルデータとを直交変調して送信信号として出力する直交変調器と、前記直交変調器から出力された送信信号を電波として放射するためのアンテナとを少なくとも有し、前記乗算手段が、前記送信データレートによって決められたゲインファクタの組み合わせの比率を変えることなく、かつ、前記直交変調器から出力される送信信号の電力に基づいて決まるゲインファクタを用いて前記第１のチャネルデータと前記第２のチャネルデータとの振幅をそれぞれ重みづけする送信回路において、
前記直交変調器から出力された送信信号を制御電圧に基づく利得で増幅して出力する増幅手段と、
前記第２のチャネルデータ成分の送信電力値を決定する送信レベル回路と、
前記送信データレートによって決められた組み合わせの２つのゲインファクタを用いて、前記アンテナ端における前記第２のチャネルデータ成分の送信電力が前記送信データレートによらずに一定となるように前記増幅手段の利得を制御するための第１のゲイン補正量を前記送信レベル回路にて決定された送信電力値に加算して出力する第１のゲインオフセット回路と、
前記第１のゲインオフセット回路から出力された送信電力値に基づいて、前記増幅手段の利得を制御するための電圧を生成する電圧生成回路とを有し、
前記アンテナは、前記直交変調器から出力され、前記増幅手段にて増幅された送信信号を電波として放射することを特徴とする送信回路。
【請求項４】
請求項２または請求項３に記載の送信回路において、
前記乗算手段は、前記送信データレートによって決められたゲインファクタの組み合わせの比率を変えることなく、かつ、前記第１のチャネルデータの振幅を重みづけするためのゲインファクタの２乗と前記第２のチャネルデータの振幅を重みづけするためのゲインファクタの２乗との和が前記送信データレートによらずに一定となるようなゲインファクタを用いて前記第１のチャネルデータと前記第２のチャネルデータとの振幅をそれぞれ重みづけすることを特徴とする送信回路。
【請求項５】
請求項２乃至４のいずれか１項に記載の送信回路において、
前記ベースバンド回路は、前記送信データレートによって決められたゲインファクタと、前記乗算手段にて前記送信データを重みづけするためのゲインファクタとが格納されたテーブルを有し、前記送信データレートに基づいて、前記テーブルから、当該送信データレートに対応するゲインファクタを前記乗算手段に出力することを特徴とする送信回路。
【請求項６】
請求項１乃至５のいずれか１項に記載の送信回路において、
前記第１のゲインオフセット回路は、前記送信データレートによって決められた組み合わせの２つのゲインファクタを用いて前記第１のチャネルデータ成分の送信電力を算出し、該送信電力を前記第１のゲイン補正量として前記送信レベル回路にて決定された送信電力値に加算して出力することを特徴とする送信回路。
【請求項７】
請求項１乃至６のいずれか１項に記載の送信回路において、
前記乗算手段にて前記第１のチャネルデータと前記第２のチャネルデータとの振幅をそれぞれ重みづけするために用いられるゲインファクタを用いて、前記乗算手段における重みづけにより前記直交変調器にて生じた出力電力の誤差を補正するための第２のゲイン補正量を前記第１のゲインオフセット回路から出力された送信電力値に加算して出力する第２のゲインオフセット回路を有し、
前記電圧生成回路は、前記第２のゲインオフセット回路から出力された送信電力値に基づいて、前記増幅手段の利得を制御するための電圧を生成することを特徴とする送信回路。
【請求項８】
請求項７に記載の送信回路において、
前記第２のゲインオフセット回路は、前記乗算手段にて前記第１のチャネルデータと前記第２のチャネルデータとの振幅をそれぞれ重みづけするために用いられるゲインファクタのうち１つの組み合わせを基準とし、該基準とされた組み合わせのゲインファクタを用いた場合の前記直交変調器の出力電力と、前記乗算手段にて前記第１のチャネルデータと前記第２のチャネルデータとの振幅をそれぞれ重みづけするために用いられるゲインファクタを用いた場合の前記直交変調器の出力電力との比率を算出し、該比率を前記第２のゲイン補正量として前記第１のゲインオフセット回路から出力された送信電力値に加算して出力することを特徴とする送信回路。
【請求項９】
請求項７または請求項８に記載の送信回路において、
前記第２のオフセット回路は、前記送信データレートによって決められたゲインファクタと、前記乗算手段にて前記送信データを重みづけするためのゲインファクタとが格納されたテーブルを有することを特徴とする送信回路。
【請求項１０】
請求項１乃至９のいずれか１項に記載の送信回路において、
前記第１のチャネルデータは、前記送信データのデータチャネルのデータであり、前記第２のチャネルデータは、前記送信データの制御チャネルのデータであることを特徴とする送信回路。
【請求項１１】
請求項１乃至１０のいずれか１項に記載の送信回路において、
前記デジタル変調手段は、前記乗算手段にて振幅が重みづけされた前記第１のチャネルデータと前記第２のチャネルデータとの振幅データを位相シフト変調する位相変調手段であることを特徴とする送信回路。
【発明の詳細な説明】
【技術分野】
【０００１】
本発明は、通信端末内に設けられる送信回路に関し、特に、ＨＰＳＫ（HyperPhase Shift Keying:ハイパー位相シフト変調）変調方式を用いた送信回路に関する。
【背景技術】
【０００２】
Ｗ−ＣＤＭＡ（Wide band Code Division Multiple Access：ワイドバンド符号分割多元接続）規格の標準化プロジェクトである３ＧＰＰ（3rd Generation Partnership Project）の3G TS 25.213に記述されるＨＰＳＫ変調方式においては、送信データをスプレッドコードで拡散した後、拡散された送信データに、ＨＰＳＫ変調における振幅の重みづけをするためのゲインファクタを乗算することにより振幅データを得て、その後、この振幅データのＨＰＳＫ変調が行われる。
【０００３】
図７は、従来の、ＨＰＳＫ変調方式を用いた送信回路の一構成例を示すブロック図である。
【０００４】
本従来例は図７に示すように、データチャネルのデータＤＰＤＣＨ（Dedicated Physical Data Channel）と制御チャネルのデータＤＰＣＣＨ（Dedicated Physical Control Channel）との２種類の送信データを生成し、出力するベースバンド回路１１０と、ベースバンド回路１１０から出力されたデータチャネルのデータＤＰＤＣＨにスプレッドコードＳＣdを乗算することにより、データチャネルのデータＤＰＤＣＨを拡散して拡散データｄとして出力する乗算器１２０と、ベースバンド回路１１０から出力された制御チャネルのデータＤＰＣＣＨにスプレッドコードＳＣcを乗算することにより、制御チャネルのデータＤＰＣＣＨを拡散して拡散データｃとして出力する乗算器１２２と、乗算器１２０から出力された拡散データｄにゲインファクタβdを乗算することにより振幅データＩinを出力する乗算器１２１と、乗算器１２２から出力された拡散データｃにゲインファクタβcを乗算することにより振幅データＱinを出力する乗算器１２３と、乗算器１２１，１２３からそれぞれ出力された振幅データＩin，ＱinがＩ−Ｑチャネルデータとして入力され、入力された振幅データＩin，Ｑinを、ベースバンド回路１１０から出力されるＣＤＭＡ方式の周波数拡散符号の１つであるスクランブルコードに応じて複素Ｉ−Ｑ平面にマッピングすることによりＨＰＳＫ変調データＩout，Ｑoutを出力するＨＰＳＫ変調回路１３０と、ＨＰＳＫ変調回路１３０から出力されたＨＰＳＫ変調データＩoutの高周波成分を取り除き、デジタル信号Ｉdとして出力するデジタルフィルタ１４０と、ＨＰＳＫ変調回路１３０から出力されたＨＰＳＫ変調データＱoutの高周波成分を取り除き、デジタル信号Ｑdとして出力するデジタルフィルタ１４２と、デジタルフィルタ１４０から出力されたデジタル信号Ｉdをアナログ信号Ｉaに変換して出力するデジタルアナログ変換器１４１と、デジタルフィルタ１４２から出力されたデジタル信号Ｑdをアナログ信号Ｑaに変換して出力するデジタルアナログ変換器１４３と、デジタルアナログ変換器１４１，１４３からそれぞれ出力されたアナログ信号Ｉa，Ｑaを直交変調して所望の周波数のＨＰＳＫ信号を出力する直交変調器１５０とから構成されている。
【０００５】
なお、乗算器１２０にてデータチャネルのデータＤＰＤＣＨに乗算されるスプレッドコードＳＣd、並びに乗算器１２２にて制御チャネルのデータＤＰＣＣＨに乗算されるスプレッドコードＳＣcは、ＣＤＭＡ方式の周波数拡散符号の１つで、チップレートの速さを有し、各チャネルの直交性を維持するために送信チャネル毎に異なるコードであり、ベースバンド回路１１０から出力される。
【０００６】
また、乗算器１２１にて拡散データｄに乗算されるゲインファクタβd、並びに乗算器１２３にて拡散データｃに乗算されるゲインファクタβcは、ＨＰＳＫ変調特有のもので、Ｉ（Inphase），Ｑ（Quadrature）それぞれの振幅を個別に重みづけするための値であり、ベースバンド回路１１０から出力される。このゲインファクタβd，βcは、それぞれ送信データレートによって０〜１５の値を有しており、かつ、ゲインファクタβd，βcのいずれか一方は必ず“１５”である。また、制御チャネルのデータＤＰＣＣＨは常に必要であるため、ゲインファクタβcが“０”になることはない。
【０００７】
また、乗算器１２１，１２３からそれぞれ出力される振幅データＩin，Ｑinは、乗算器１２０，１２２からそれぞれ出力される拡散データｄ，ｃの“０”，“１”の値を、正負の符号を持つ振幅値に変換したものであって、２の補数形式のバイナリコードで表される。
【０００８】
上記のように構成された送信回路においては、ベースバンド回路１１０から出力されたデータチャネルのデータＤＰＤＣＨと制御チャネルのデータＤＰＣＣＨとがスプレッドコードＳＣd，ＳＣcによりそれぞれ乗算されて拡散データｄ，ｃとされ、さらに、拡散データｄ，ｃが、ゲインファクタβd，βcによりそれぞれその振幅が重みづけされ、ＨＰＳＫ変調される。
【０００９】
ＨＰＳＫ変調されたＨＰＳＫ変調データＩout，Ｑoutは、それぞれ高周波成分が取り除かれ、さらに、アナログ信号に変換され、その後、直交変調されて所望の周波数のＨＰＳＫ信号として出力される。
【発明の開示】
【発明が解決しようとする課題】
【００１０】
しかしながら、上述したような送信回路においては、拡散データに乗算されるゲインファクタの値が、そのままＨＰＳＫ変調信号の複素Ｉ−Ｑ平面における振幅に反映されるため、ゲインファクタの組み合わせが変わると直交変調器の出力電力が変化することになる。直交変調器の出力電力が変化した場合、Ｓ／Ｎ比が一定とはならず、出力電力が低い場合にＳ／Ｎ比が小さくなり、隣接チャネル漏洩電力特性が劣化してしまうという問題点がある。
【００１１】
また、ＣＤＭＡ方式が採用されたシステムにおいては、端末と基地局との距離が一定等、端末における通信状態が同一の場合はデータレートが変化した場合においても制御チャネルのデータＤＰＣＣＨ成分のアンテナ端における電力を常に一定値に保つことが要求されるが、上述したような従来の送信回路においては、ゲインファクタの組み合わせや直交変調器の出力電力の変化によっては制御チャネルのデータＤＰＣＣＨ成分のアンテナ端における電力を一定値に保つことができないという問題点がある。
【００１２】
本発明は、上述したような従来の技術が有する問題点に鑑みてなされたものであって、直交変調器の出力電力を一定に保つことができるとともに、アンテナ端における制御チャネルデータ成分の電力を一定値に保つことができる送信回路を提供することを目的とする。
【課題を解決するための手段】
【００１３】
上記目的を達成するために本発明は、
少なくとも１つの第１のチャネルデータと第２のチャネルデータとからなる送信データを生成して出力するベースバンド回路と、前記送信データを送信チャネル毎に異なる拡散コードを用いて拡散する拡散手段と、送信データレートによって決められた組み合わせの２つのゲインファクタを用いて前記第１のチャネルデータと前記第２のチャネルデータとの振幅をそれぞれ重みづけする乗算手段と、前記乗算手段にて振幅が重みづけされた前記第１のチャネルデータと前記第２のチャネルデータとをデジタル変調するデジタル変調手段と、前記デジタル変調手段にてデジタル変調された前記第１のチャネルデータと前記第２のチャネルデータとを直交変調して送信信号として出力する直交変調器と、前記直交変調器から出力された送信信号を電波として放射するためのアンテナとを少なくとも有してなる送信回路において、
前記直交変調器から出力された送信信号を制御電圧に基づく利得で増幅して出力する増幅手段と、前記第２のチャネルデータ成分の送信電力値を決定する送信レベル回路と、
前記送信データレートによって決められた組み合わせの２つのゲインファクタを用いて、前記アンテナ端における前記第２のチャネルデータ成分の送信電力が前記送信データレートによらずに一定となるように前記増幅手段の利得を制御するための第１のゲイン補正量を前記送信レベル回路にて決定された送信電力値に加算して出力する第１のゲインオフセット回路と、
前記第１のゲインオフセット回路から出力された送信電力値に基づいて、前記増幅手段の利得を制御するための電圧を生成する電圧生成回路とを有し、
前記アンテナは、前記直交変調器から出力され、前記増幅手段にて増幅された送信信号を電波として放射することを特徴とする。
【００１４】
また、前記乗算手段は、前記送信データレートによって決められたゲインファクタの組み合わせの比率を変えることなく、かつ、前記第１のチャネルデータの振幅を重みづけするためのゲインファクタの２乗と前記第２のチャネルデータの振幅を重みづけするためのゲインファクタの２乗との和が前記送信データレートによらずに一定となるようなゲインファクタを用いて前記第１のチャネルデータと前記第２のチャネルデータとの振幅をそれぞれ重みづけすることを特徴とする。
【００１５】
また、前記ベースバンド回路は、前記送信データレートによって決められたゲインファクタと、前記乗算手段にて前記送信データを重みづけするためのゲインファクタとが格納されたテーブルを有し、前記送信データレートに基づいて、前記テーブルから、当該送信データレートに対応するゲインファクタを前記乗算手段に出力することを特徴とする。
【００１６】
また、前記第１のゲインオフセット回路は、前記送信データレートによって決められた組み合わせの２つのゲインファクタを用いて前記第１のチャネルデータ成分の送信電力を算出し、該送信電力を前記第１のゲイン補正量として前記送信レベル回路にて決定された送信電力値に加算して出力することを特徴とする。
【００１７】
また、前記乗算手段にて前記第１のチャネルデータと前記第２のチャネルデータとの振幅をそれぞれ重みづけするために用いられるゲインファクタを用いて、前記乗算手段における重みづけにより前記直交変調器にて生じた出力電力の誤差を補正するための第２のゲイン補正量を前記第１のゲインオフセット回路から出力された送信電力値に加算して出力する第２のゲインオフセット回路を有し、
前記電圧生成回路は、前記第２のゲインオフセット回路から出力された送信電力値に基づいて、前記増幅手段の利得を制御するための電圧を生成することを特徴とする。
【００１８】
また、前記第２のゲインオフセット回路は、前記乗算手段にて前記第１のチャネルデータと前記第２のチャネルデータとの振幅をそれぞれ重みづけするために用いられるゲインファクタのうち１つの組み合わせを基準とし、該基準とされた組み合わせのゲインファクタを用いた場合の前記直交変調器の出力電力と、前記乗算手段にて前記第１のチャネルデータと前記第２のチャネルデータとの振幅をそれぞれ重みづけするために用いられるゲインファクタを用いた場合の前記直交変調器の出力電力との比率を算出し、該比率を前記第２のゲイン補正量として前記第１のゲインオフセット回路から出力された送信電力値に加算して出力することを特徴とする。
【００１９】
また、前記第２のオフセット回路は、前記送信データレートによって決められたゲインファクタと、前記乗算手段にて前記送信データを重みづけするためのゲインファクタとが格納されたテーブルを有することを特徴とする。
【００２０】
また、前記第１のチャネルデータは、前記送信データのデータチャネルのデータであり、前記第２のチャネルデータは、前記送信データの制御チャネルのデータであることを特徴とする。
【００２１】
また、前記デジタル変調手段は、前記乗算手段にて振幅が重みづけされた前記第１のチャネルデータと前記第２のチャネルデータとの振幅データを位相シフト変調する位相変調手段であることを特徴とする。
【００２２】
上記のように構成された本発明においては、ベースバンド回路にて生成された第１のチャネルデータと第２のチャネルデータとからなる送信データは、拡散手段において、送信チャネル毎に異なる拡散コードを用いて拡散され、さらに、乗算手段において、送信データレートよって決められた組み合わせの２つのゲインファクタの比率を変えることなく、かつ、直交変調器から出力される送信信号の電力が送信データレートによらずに一定となるようなゲインファクタを用いてそれぞれの振幅が重みづけされる。乗算手段にて振幅が重みづけされた第１のチャネルデータと第２のチャネルデータとは、デジタル変調手段にてデジタル変調され、その後、直交変調器において直交変調されて送信信号としてアンテナを介して送信される。
【００２３】
このように、乗算手段において、送信データレートよって決められた組み合わせの２つのゲインファクタの比率を変えることなく、かつ、直交変調器から出力される送信信号の電力が送信データレートによらずに一定となるようなゲインファクタを用いて第１のチャネルデータと第２のチャネルデータとの振幅がそれぞれ重みづけされるので、送信データレートが変化し、第１のチャネルデータを重みづけするゲインファクタと第２のチャネルデータを重みづけするゲインファクタとの組み合わせが変わった場合においても、直交変調器の出力電力が一定値に保たれる。
【００２４】
また、第１のゲインオフセット回路において、送信データレートによって決められた組み合わせの２つのゲインファクタを用いて第１のチャネルデータ成分の送信電力を算出し、この送信電力を第１のゲイン補正量として第２のチャネルデータの送信電力値に加算し、この加算結果に基づく利得で、直交変調器から出力される送信信号を増幅してアンテナを介して送信する場合は、アンテナ端における第２のチャネルデータ成分の送信電力が送信データレートによらずに一定値となる。ここで、ＣＤＭＡ方式が採用されたシステムにおいては、端末と基地局との距離が一定等、端末における通信状態が同一の場合はデータレートが変化した場合においても制御チャネルのデータ成分のアンテナ端における電力を常に一定値に保つことが要求されるが、第１のチャネルデータを送信データのデータチャネルのデータとし、また、第２のチャネルデータを送信データの制御チャネルのデータとすれば、アンテナ端における制御チャネルのデータ成分の送信電力が送信データレートによらずに一定値となる。
【００２５】
また、第２のゲインオフセット回路において、乗算手段にて第１のチャネルデータと第２のチャネルデータとの振幅をそれぞれ重みづけするために用いられるゲインファクタのうち１つの組み合わせを基準とし、該基準とされた組み合わせのゲインファクタを用いた場合の直交変調器の出力電力と、乗算手段にて第１のチャネルデータと第２のチャネルデータとの振幅をそれぞれ重みづけするために用いられるゲインファクタを用いた場合の直交変調器の出力電力との比率を算出し、該比率を第２のゲイン補正量として第１のゲインオフセット回路から出力された送信電力値に加算し、この加算結果に基づく利得で、直交変調器から出力される送信信号を増幅してアンテナを介して送信する場合は、乗算手段にて第１のチャネルデータと第２のチャネルデータとの振幅をそれぞれ重みづけするために用いられるゲインファクタを表すビット数の不足により直交変調器の出力電力に誤差が生じた場合においても、送信信号が増幅される際にその誤差が第２のゲイン補正量によって補正される。
【発明の効果】
【００２６】
本発明は、以上説明したように構成されているので、以下に記載するような効果を奏する。
【００２７】
請求項１に記載のものにおいては、直交変調器から出力された送信信号を制御電圧に基づく利得で増幅して出力する増幅手段と、第２のチャネルデータ成分の送信電力値を決定する送信レベル回路と、送信データレートによって決められた組み合わせの２つのゲインファクタを用いて、アンテナ端における第２のチャネルデータ成分の送信電力が送信データレートによらずに一定となるように増幅手段の利得を制御するための第１のゲイン補正量を送信レベル回路にて決定された送信電力値に加算して出力する第１のゲインオフセット回路と、第１のゲインオフセット回路から出力された送信電力値に基づいて、増幅手段の利得を制御するための電圧を生成する電圧生成回路とを設け、直交変調器から出力され、増幅手段にて増幅された送信信号がアンテナから電波として放射される構成としたため、アンテナ端における第２のチャネルデータ成分の送信電力を送信データレートによらずに一定値とすることができる。
【００２８】
請求項２乃至４に記載のものにおいては、直交変調器におけるＳ／Ｎ（Signal to Noise Ratio）比を一定にすることができ、隣接チャネル漏洩電力の劣化を防止することができるとともに、アンテナ端における第２のチャネルデータ成分の送信電力を送信データレートによらずに一定値とすることができる。
【００２９】
請求項５に記載のものにおいては、乗算手段において、送信データレートによって決められたゲインファクタの組み合わせの比率を変えることなく、かつ、第１のチャネルデータの振幅を重みづけするためのゲインファクタの２乗と第２のチャネルデータの振幅を重みづけするためのゲインファクタの２乗との和が送信データレートによらずに一定となるようなゲインファクタを用いて第１のチャネルデータと第２のチャネルデータとの振幅がそれぞれ重みづけされる構成としたため、送信データレートが変化し、第１のチャネルデータを重みづけするゲインファクタと第２のチャネルデータを重みづけするゲインファクタとの組み合わせが変わった場合においても、直交変調器の出力電力を一定値に保つことができ、それにより、直交変調器におけるＳ／Ｎ（Signal to Noise Ratio）比を一定にすることができ、隣接チャネル漏洩電力の劣化を防止することができる。
【００３０】
請求項６に記載のものにおいては、ベースバンド回路に、送信データレートによって決められたゲインファクタと、乗算手段にて送信データを重みづけするためのゲインファクタとが格納されたテーブルを設け、送信データレートに基づいて、テーブルから、当該送信データレートに対応するゲインファクタが乗算手段に出力される構成としたため、送信動作毎にゲインファクタを算出する必要がない。
【００３１】
請求項７に記載のものにおいては、第１のゲインオフセット回路において、送信データレートによって決められた組み合わせの２つのゲインファクタを用いて第１のチャネルデータ成分の送信電力を算出し、この送信電力を第１のゲイン補正量として第２のチャネルデータ成分の送信電力値に加算し、この加算結果に基づく利得で、直交変調器から出力される送信信号を増幅してアンテナを介して送信する構成としたため、請求項５または請求項１乃至６に記載のものと同様の効果を奏する。
【００３２】
請求項８に記載のものにおいては、乗算手段にて第１のチャネルデータと第２のチャネルデータとの振幅をそれぞれ重みづけするために用いられるゲインファクタを用いて、乗算手段における重みづけにより直交変調器にて生じた出力電力の誤差を補正するための第２のゲイン補正量を第１のゲインオフセット回路から出力された送信電力値に加算して出力する第２のゲインオフセット回路を設け、電圧生成回路にて、第２のゲインオフセット回路から出力された送信電力値に基づいて、増幅手段の利得を制御するための電圧が生成される構成としたため、乗算手段にて重みづけするゲインファクタを表すビット数の不足により直交変調器の出力電力に誤差が生じた場合においても、送信データが増幅される際にその誤差が第２のゲイン補正量によって補正され、アンテナ端における電力を補正することができる。
【００３３】
請求項９に記載のものにおいては、第２のゲインオフセット回路において、乗算手段にて第１のチャネルデータと第２のチャネルデータとの振幅をそれぞれ重みづけするために用いられるゲインファクタのうち１つの組み合わせを基準とし、該基準とされた組み合わせのゲインファクタを用いた場合の直交変調器の出力電力と、乗算手段にて第１のチャネルデータと第２のチャネルデータとの振幅をそれぞれ重みづけするために用いられるゲインファクタを用いた場合の直交変調器の出力電力との比率を算出し、該比率を第２のゲイン補正量として第１のゲインオフセット回路から出力された送信電力値に加算し、この加算結果に基づく利得で、直交変調器から出力される送信信号を増幅してアンテナを介して送信する構成としたため、請求項８に記載のものと同様の効果を奏する。
【００３４】
請求項１０に記載のものにおいては、第２のオフセット回路に、送信データレートによって決められたゲインファクタと、乗算手段にて送信データを重みづけするためのゲインファクタとが格納されたテーブルを設けたため、請求項８または請求項９に記載のものと同様の効果に加えて、送信動作毎にゲインファクタを算出する必要がない。
【００３５】
また、請求項１１に記載のもののように、第１のチャネルデータを送信データのデータチャネルのデータとし、第２のチャネルデータを送信データの制御チャネルのデータとしたものにおいては、アンテナ端における制御チャネルのデータ成分の送信電力を送信データレートによらずに一定値とすることができる。
【００３６】
請求項１２に記載のものにおいては、乗算手段にて振幅が重みづけされた第１のチャネルデータと第２のチャネルデータとの振幅データを位相シフト変調する位相変調方式にて上述したような効果を奏することができる。
【発明を実施するための最良の形態】
【００３７】
以下に、本発明の実施の形態について図面を参照して説明する。
【００３８】
図１は、本発明の送信回路の実施の一形態を示すブロック図である。
【００３９】
本形態は図１に示すように、第１のチャネルデータであるデータチャネルのデータＤＰＤＣＨ（Dedicated Physical Data Channel）と第２のチャネルデータである制御チャネルのデータＤＰＣＣＨ（Dedicated Physical Control Channel）との２種類の送信データを生成して出力するとともに、ＨＰＳＫ変調におけるＩ（Inphase），Ｑ（Quadrature）それぞれの振幅を個別に重みづけするための値となるゲインファクタβc，βd，βsc，βsd、並びに端末の送信電力を制御するためのＴＰＣ（Total Power Control）ビットを出力するベースバンド回路１０と、ベースバンド回路１０から出力されたデータチャネルのデータＤＰＤＣＨにスプレッドコードＳＣdを乗算することにより、データチャネルのデータＤＰＤＣＨを拡散して拡散データｄとして出力する拡散手段である乗算器２０と、ベースバンド回路１０から出力された制御チャネルのデータＤＰＣＣＨにスプレッドコードＳＣcを乗算することにより、制御チャネルのデータＤＰＣＣＨを拡散して拡散データｃとして出力する拡散手段である乗算器２２と、乗算器２０から出力された拡散データｄにゲインファクタβsdを乗算することにより振幅データＩinを出力する乗算器２１と、乗算器２２から出力された拡散データｃにゲインファクタβscを乗算することにより振幅データＱinを出力する乗算器２３と、乗算器２１，２３からそれぞれ出力された振幅データＩin，ＱinがＩ−Ｑチャネルデータとして入力され、入力された振幅データＩin，Ｑinを、ベースバンド回路１０から出力されるＣＤＭＡ方式の周波数拡散符号の１つであるスクランブルコードに応じて複素Ｉ−Ｑ平面にマッピングすることによりＨＰＳＫ変調データＩout，Ｑoutを出力する位相変調手段であるＨＰＳＫ変調回路３０と、ＨＰＳＫ変調回路３０から出力されたＨＰＳＫ変調データＩoutの高周波成分を取り除き、デジタル信号Ｉdとして出力するデジタルフィルタ４０と、ＨＰＳＫ変調回路３０から出力されたＨＰＳＫ変調データＱoutの高周波成分を取り除き、デジタル信号Ｑdとして出力するデジタルフィルタ４２と、デジタルフィルタ４０から出力されたデジタル信号Ｉdをアナログ信号Ｉaに変換して出力するデジタルアナログ変換器４１と、デジタルフィルタ４２から出力されたデジタル信号Ｑdをアナログ信号Ｑaに変換して出力するデジタルアナログ変換器４３と、デジタルアナログ変換器４１，４３からそれぞれ出力されたアナログ信号Ｉa，Ｑaを直交変調して所望の周波数のＨＰＳＫ信号を出力する直交変調器５０と、直交変調器５０から出力されたＨＰＳＫ信号を制御電圧に基づくゲインにて増幅して出力する増幅手段であるＡＧＣアンプ６と、希望波以外の周波数成分を除去するチャネルフィルタや周波数変換回路、段間フィルタ、ドライバアンプ、パワーアンプ、デュプレクサ等で構成され、ＡＧＣアンプ６から出力されたＨＰＳＫ信号を所望の周波数に変換するとともに所定のゲインで増幅して出力するＲＦ回路７と、ＲＦ回路７から出力されたＨＰＳＫ信号を電波として放射するためのアンテナ８と、当該端末における制御チャネルのデータＤＰＣＣＨ成分の送信電力ＴＸＬＶＬを設定するＣＰＵ１と、ベースバンド回路１０から出力されたＴＰＣビットとＣＰＵ１にて設定されたＴＸＬＶＬとに基づいて当該端末における制御��ャネルのデータＤＰＣＣＨ成分の送信電力値を決定し、出力する送信レベル回路２と、ベースバンド回路１０から出力されたゲインファクタβc，βdの組み合わせに基づいてデータチャネルのデータＤＰＤＣＨ成分の送信電力に相当する第１のゲイン補正量βofst1を決定し、送信レベル回路２から出力された制御チャネルのデータＤＰＣＣＨの送信電力値にこのゲイン補正量βofst1を加算して加算結果を出力する第１のゲインオフセット回路であるβオフセット回路３ａと、ベースバンド回路１０から出力されたゲインファクタβsc，βsdの組み合わせに基づいて、拡散データｄ、ｃにゲインファクタβsd，βscを乗算することにより直交変調器５０にて生じた出力電力の誤差を補正するための第２のゲイン補正量βofst2を決定し、βオフセット回路３ａから出力された加算結果にこのゲイン補正量βofst2を加算し、ＡＧＣアンプ制御コードとして出力する第２のゲインオフセット回路であるβオフセット回路３ｂと、βオフセット回路３ｂから出力されたＡＧＣアンプ制御コードからＡＧＣアンプ６のゲインを制御するための制御電圧コードを生成し、出力する電圧生成回路４と、電圧生成回路４から出力された制御電圧コードを制御電圧に変換して出力するデジタルアナログ変換器５とから構成されている。
【００４０】
なお、乗算器２０にてデータチャネルのデータＤＰＤＣＨに乗算されるスプレッドコードＳＣd、並びに乗算器２２にて制御チャネルのデータＤＰＣＣＨに乗算されるスプレッドコードＳＣcは、ＣＤＭＡ方式の周波数拡散符号の１つで、チップレートの速さを有し、各チャネルの直交性を維持するために送信チャネル毎に異なるコードであり、ベースバンド回路１０から出力される。
【００４１】
また、ベースバンド回路１０においては、ゲインファクタの理論値βc，βdに基づいて、該理論値βc，βdの比率が変わることなく、かつ、直交変調器５０からの出力電力が一定となるようにそのレベルを加工したゲインファクタβsc，βsdが計算されており、ゲインファクタβc，βd，βsc，βsdのテーブルが設けられている。なお、ゲインファクタβc，βscは制御チャネル用、ゲインファクタβd，βsdはデータチャネル用に設定されたものである。また、このゲインファクタの理論値βd，βcは、それぞれ送信データレートによって０〜１５の値を有しており、かつ、ゲインファクタβd，βcのいずれか一方は必ず“１５”である。また、制御チャネルのデータＤＰＣＣＨは常に必要であるため、ゲインファクタβcが“０”になることはない。
【００４２】
また、ベースバンド回路１０から出力されるＴＰＣビットは、クローズドループ制御時に基地局（不図示）から送出されるものである。
【００４３】
また、乗算器２１，２３からそれぞれ出力される振幅データＩin，Ｑinは、乗算器２０，２２からそれぞれ出力される拡散データｄ，ｃの“０”，“１”の値を、正負の符号を持つ振幅値に変換したものであって、２の補数形式のバイナリコードで表される。
【００４４】
また、送信レベル回路２は、クローズドループ制御時には、ＣＰＵ１にて設定されたＴＸＬＶＬにベースバンド回路１０から出力されたＴＰＣビットを積算し、リニアタイムにアンテナ８端における制御チャネルのデータＤＰＣＣＨ成分の送信電力値を出力する。
【００４５】
以下に、上記のように構成された送信回路におけるデータの送信動作を説明する。
【００４６】
まず、ベースバンド回路１０において、データチャネルのデータＤＰＤＣＨ及び制御チャネルのデータＤＰＣＣＨが生成され、出力される。また、ベースバンド回路１０からは、ＨＰＳＫ変調におけるＩ，Ｑそれぞれの振幅を個別に重みづけするための値となるゲインファクタβc，βd，βsc，βsdが出力される。ここで、ゲインファクタβc，βdは、それぞれ送信データレートによって決まる０〜１５の値を有しており、かつ、いずれか一方は必ず“１５”となるゲインファクタの理論値であり、また、ゲインファクタβsc，βsdはそれぞれ、ゲインファクタの理論値βc，βdの比率を変えることなく（βsd：βsc＝βd：βc）、かつ、直交変調器５０における出力電力が常に一定となるようにそのレベルを加工したものであり、以下に、その算出方法について詳細に説明する。
【００４７】
ゲインファクタβsc，βsdは、ゲインファクタの中で電力の基準とする組み合わせをβdref，βcrefとすると、ゲインファクタの理論値βc，βdを用いて以下の式によって求めることができる。
【００４８】
βsd＝βd×√[(βdref2+βcref2)/(βd2+βc2)]βsc＝βc×√[(βdref2+βcref2)/(βd2+βc2)]よって、βsd2+βsc2＝βdref2+βcref2となる。上述した式の左辺は、ＨＰＳＫ変調回路３０の複素Ｉ−Ｑ平面上における送信データのベクトルの絶対値の２乗、すなわち、直交変調器５０における出力電力の２乗に相当するため、これにより、ゲインファクタβd，βcの組み合わせによらずに直交変調器５０の出力電力を常に一定にすることができる。
【００４９】
図２は、図１に示したベースバンド回路１０にて設定されるゲインファクタのテーブルの一例を示す図である。
【００５０】
図２に示すように、例えば、（βdref，βcref）＝（１５，１５）とし、それに対してゲインファクタの理論値βd，βcが与えられた場合、ベースバンド回路１０においては、上述した式により、図２に示すようなゲインファクタβsd，βscがテーブルに設定される。このゲインファクタβsd，βscは、ゲインファクタの理論値βc，βdの比率を変えることなく（βsd：βsc＝βd：βc）、かつ、どのゲインファクタβsd，βscの組み合わせにおいても、βsd2+βsc2＝４５０になるように正規化されている。なお、このテーブルにおいて、βdとβc、βsdとβscとの値をそれぞれ入れ替えることもできる。
【００５１】
また、基地局からは、クローズドループ時に当該端末の送信電力を決定するためのＴＰＣビットが送出されており、このＴＰＣビットがベースバンド回路１０から出力され、送信レベル回路２に入力される。一般にＷ−ＣＤＭＡ方式においては、基地局において、端末からの受信電力が所望の電力値よりも大きな場合は、端末における送信電力を下げる要求が端末に対して送出され、また、端末からの受信電力が所望の電力値よりも小さな場合は、端末における送信電力を上げる要求が端末に対して送出されている。
【００５２】
ベースバンド回路１０から出力されたデータチャネルのデータＤＰＤＣＨは乗算器２０に入力され、乗算器２０において、データチャネルのデータＤＰＤＣＨにベースバンド回路１０から出力されたスプレッドコードＳＣdが乗算され、それにより、データチャネルのデータＤＰＤＣＨが拡散されて拡散データｄとして出力される。
【００５３】
また、ベースバンド回路１０から出力された制御チャネルのデータＤＰＣＣＨは乗算器２２に入力され、乗算器２２において、制御チャネルのデータＤＰＣＣＨにベースバンド回路１０から出力されたスプレッドコードＳＣcが乗算され、それにより、制御チャネルのデータＤＰＣＣＨが拡散されて拡散データｃとして出力される。
【００５４】
乗算器２０から出力された拡散データｄは乗算器２１に入力され、乗算器２１において、拡散データｄに上述した式によって求められたゲインファクタβsdが乗算され、振幅データＩinとして出力される。
【００５５】
また、乗算器２２から出力された拡散データｃは乗算器２３に入力され、乗算器２３において、拡散データｃに上述した式によって求められたゲインファクタβscが乗算され、振幅データＱinとして出力される。
【００５６】
乗算器２１，２３からそれぞれ出力された振幅データＩin，Ｑinは、Ｉ−ＱチャネルデータとしてＨＰＳＫ変調回路３０に入力され、ＨＰＳＫ変調回路３０において、ベースバンド回路１０から出力されるスクランブルコードに応じて振幅データＩin，Ｑinが複素Ｉ−Ｑ平面にマッピングされ、それにより、ＨＰＳＫ変調データＩout，Ｑoutが生成され、出力される。
【００５７】
図３は、図１に示したＨＰＳＫ変調回路３０におけるマッピング状況を説明するための図である。
【００５８】
例えば、（βsc，βsd）＝（１５，１５）であり、かつ、ベースバンド回路１０から出力されたスクランブルコードにより（Ｉout，Ｑout）＝（Ｉin，Ｑin）のようにマッピングされた場合、そのベクトル長の２乗ｘ2が直交変調器５０における出力電力となる。
【００５９】
ＨＰＳＫ変調回路３０から出力されたＨＰＳＫ変調データＩoutはデジタルフィルタ４０に入力され、デジタルフィルタ４０において、ＨＰＳＫ変調データＩoutの高周波成分が取り除かれ、デジタル信号Ｉdとして出力される。
【００６０】
また、ＨＰＳＫ変調回路３０から出力されたＨＰＳＫ変調データＱoutはデジタルフィルタ４２に入力され、デジタルフィルタ４２において、ＨＰＳＫ変調データＱoutの高周波成分が取り除かれ、デジタル信号Ｑdとして出力される。
【００６１】
デジタルフィルタ４０から出力されたデジタル信号Ｉdはデジタルアナログ変換器４１に入力され、デジタルアナログ変換器４１において、デジタル信号Ｉdがアナログ信号Ｉaに変換されて出力される。
【００６２】
また、デジタルフィルタ４２から出力されたデジタル信号Ｑdはデジタルアナログ変換器４３に入力され、デジタルアナログ変換器４３において、デジタル信号Ｑdがアナログ信号Ｑaに変換されて出力される。
【００６３】
デジタルアナログ変換器４１，４３からそれぞれ出力されたアナログ信号Ｉa，Ｑaは直交変調器５０に入力され、直交変調器５０において、アナログ信号Ｉa，Ｑaを直交変調することにより、所望の周波数のＨＰＳＫ信号が生成され、出力される。この直交変調器５０から出力されるＨＰＳＫ信号の電力は、ゲインファクタのいかなる組み合わせによっても上述した式βsd2+βsc2＝βdref2+βcref2によって、その値が一定となる。
【００６４】
また、ＣＰＵ１は、オープンループ制御の時に、端末の送信すべき制御チャネルのデータＤＰＣＣＨ成分の電力を、送信レベル回路２に送信初期電力レベルＴＸＬＶＬとして設定する。
【００６５】
その後、クローズドループ制御に移行すると、基地局から端末における送信電力を制御するためのＴＰＣビットが送出され、このＴＰＣビットがベースバンド回路１０から送信レベル回路２に入力される。
【００６６】
送信レベル回路２においては、ＴＰＣビットが入力されると、ＴＸＬＶＬにＴＰＣビットの値が積算され、制御チャネルのデータＤＰＣＣＨ成分の送信電力値として出力される。
【００６７】
送信レベル回路２から出力された送信電力値は、βオフセット回路３ａに入力される。
【００６８】
βオフセット回路３ａにおいては、ベースバンド回路１０から出力されたゲインファクタの理論値βd，βcが入力され、ゲインファクタβd，βcを用いて、データチャネルのデータＤＰＤＣＨ成分の電力に相当するゲイン補正量βofst1が算出される。このゲイン補正量βofst1は、制御チャネルのデータＤＰＣＣＨ成分の電力βc2に対する全電力（βc2+βd2）の比を取り、ｄＢ値に変換することにより求められ、次式で表すことができる。なお、ゲインファクタに対応するβofst1はテーブルとしてもつことができる。
【００６９】
βofst1＝１０ｌｏｇ[（βc2+βd2）/βc2｝
上述した式を用いて算出されたゲイン補正量βofst1は、送信レベル回路２から出力された送信電力値に加算され、出力される。
【００７０】
このβオフセット回路３ａにおける処理は、アンテナ８端における制御チャネルのデータＤＰＣＣＨ成分の電力を一定とするために行われるものである。
【００７１】
例えば、図２に示した（βc，βd）＝（１５，１５）の場合と、（βc，βd）＝（１５，１）の場合とでは、全体のアンテナ８端における送信電力に含まれる、制御チャネルのデータＤＰＣＣＨ成分の送信電力の割合が異なるため、上記のように直交変調器５０における出力電力を一定とした場合、ゲインファクタの組み合わせによりアンテナ８端における制御チャネルのデータＤＰＣＣＨ成分の送信電力が異なってしまう。そこで、βオフセット回路３ａにおいては、ゲインファクタの理論値βd，βcを用いて、データチャネルのデータＤＰＤＣＨ成分の電力を算出し、このデータチャネルのデータＤＰＤＣＨ成分の電力に相当するゲイン補正量βofst1を送信レベル回路２から出力された送信電力値に加算し、それにより、アンテナ８端における制御チャネルのデータＤＰＣＣＨ成分の電力を一定としている。
【００７２】
また、乗算器２１，２３にて拡散データｄ，ｃにそれぞれ乗算されるゲインファクタβsd，βscの値が図２に示したような設定値であっても、ゲインファクタβsd，βscのビット数を十分に取らなければその値を正確に表すことができない。
【００７３】
図４は、図１に示した送信回路にて用いられるゲインファクタを説明するための図である。
【００７４】
図４に示すように、ゲインファクタβsd，βscを４ビットで表現した場合（βsd4，βsc4と称する）、βsd4とβsc4の設定値によって決まる直交変調器５０の出力電力βsd42＋βsc42がβd，βcの組み合わせによってそれぞれ異なる電力値になってしまう。
【００７５】
そこで、下記式に示すように、βオフセット回路３ｂにおいて、図４に示したような４ビット表現されたゲインファクタ（βsd4，βsc4）による直交変調器５０の出力電力と４ビット表現されたゲインファクタのうち基準となるゲインファクタ（βsdref4，βscref4）による直交変調器５０の出力電力との比率がとられ、これをｄＢ変換したゲイン補正量βofst2が算出され、βオフセット回路３ａにおける加算結果に加算され、ＡＧＣアンプ制御コードとして出力される。
【００７６】
βofst2＝−１０ｌｏｇ｛（βsc42+βsd42）/（βscref42+βsdref42）｝
βオフセット回路３ｂから出力されたＡＧＣアンプ制御コードは電圧生成回路４に入力され、電圧生成回路４において、入力されたＡＧＣアンプ制御コードから、ＡＧＣアンプ６のゲインを制御するための制御電圧コードが生成され、出力される。
【００７７】
図５は、図１に示した電圧生成回路４の動作を説明するための図であり、（ａ）は図１に示したＡＧＣアンプ６の特性を示すグラフ、（ｂ）は電圧生成回路４の入力と出力との関係を示すグラフである。
【００７８】
図５（ａ）に示すように、ＡＧＣアンプ６は、入力される制御電圧に対してゲインが非線形となっている。そのため、線形部分に対して非線形部分においては、ゲインを変化させるために必要となる制御電圧の変化を大きくしなければならない。
【００７９】
一方、βオフセット回路３ｂから出力されたＡＧＣアンプ制御コードとアンテナ８端における送信電力値との関係は線形な関係となる必要がある。
【００８０】
そのため、図５（ｂ）に示したように、電圧生成回路４において、βオフセット回路３ｂから出力されたＡＧＣアンプ制御コードに対してＡＧＣアンプ６のゲインが線形に変化するような電圧を生成し、出力する。
【００８１】
電圧生成回路４から出力された制御電圧コードはデジタルアナログ変換器５に入力され、制御電圧に変換され、ＡＧＣアンプ６に供給される。
【００８２】
ＡＧＣアンプ６においては、直交変調器５０から出力されたＨＰＳＫ信号が、デジタルアナログ変換器５から供給された制御電圧に基づいて制御されるゲインで増幅され、出力される。
【００８３】
その後、ＡＧＣアンプ６にて増幅されたＨＰＳＫ信号は、ＲＦ回路７にて高周波信号処理され、アンテナ８を介して送信される。
【００８４】
なお、本形態においては、ベースバンド回路１０内のテーブルからゲインファクタβc,βdが抽出されてβオフセット回路３ａに出力され、また、ゲインファクタβsc，βsdが抽出されてβオフセット回路３ｂに出力されているが、図２に示したようなテーブルをβオフセット回路３ａ，３ｂ内に設けてもよい。
【００８５】
また、本形態においては、第１のチャネルデータを送信データのデータチャネルのデータとし、また、第２のチャネルデータを送信データの制御チャネルのデータとして説明したが、本発明はこの組み合わせに限定するものではない。
【００８６】
また、本形態においては、第１のチャネルデータと第２のチャネルデータとの位相及び振幅を変調するＨＰＳＫ変調回路３０が設けられているが、デジタル変調方式としてはこれらの変調方式に限らない。
【００８７】
（他の実施の形態）
図６は、本発明の送信回路の他の実施の形態を示すブロック図である。
【００８８】
本形態は図６に示すように、複数のデータチャネルのデータＤＰＤＣＨ１，ＤＰＤＣＨ２が入力されるものであって、図１に示したものに対して、ベースバンド回路１１から出力されたデータチャネルのデータＤＰＤＣＨ２にスプレッドコードＳＣd2を乗算することにより、データチャネルのデータＤＰＤＣＨ２を拡散して拡散データｄ２として出力する乗算器２４と、乗算器２４から出力された拡散データｄ２にゲインファクタβsdを乗算することにより振幅データＩin2を出力する乗算器２５と、乗算器２１，２５から出力された振幅データＩin1，Ｉin2を合成し、ＨＰＳＫ変調回路３０に対して出力する合成回路２６とが新たに設けられている点が異なる。
【００８９】
上記のように構成された送信回路においては、ベースバンド回路１１から出力されたデータチャネルのデータＤＰＤＣＨ１，ＤＰＤＣＨ２が、乗算器２０，２４にてスプレッドコードＳＣd1，ＳＣd2によってそれぞれ拡散され、乗算器２１，２５においてゲインファクタβsdとそれぞれ乗算され、その後、これら２つの振幅データが合成回路２６にて合成され、ＨＰＳＫ変調回路３０に入力される。その他の動作については、図１に示したものと同様である。
【００９０】
このように、ベースバンド回路１１から複数のデータチャネルのデータＤＰＤＣＨが出力される場合においても、複数のデータチャネルのデータＤＰＤＣＨが拡散され、かつ、ゲインファクタが乗算される構成とすれば、本発明を適用することができる。
【００９１】
なお、その際、βオフセット回路３ａにおけるゲイン補正量βofst1を、データチャネルのデータＤＰＤＣＨの数に応じて変える必要がある。
【図面の簡単な説明】
【００９２】
【図１】本発明の送信回路の実施の一形態を示すブロック図である。
【図２】図１に示したベースバンド回路にて設定されるゲインファクタのテーブルの一例を示す図である。
【図３】図１に示したＨＰＳＫ変調回路におけるマッピング状況を説明するための図である。
【図４】図１に示した送信回路にて用いられるゲインファクタを説明するための図である。
【図５】図１に示した電圧生成回路４の動作を説明するための図であり、（ａ）は図１に示したＡＧＣアンプの特性を示すグラフ、（ｂ）は電圧生成回路の入力と出力との関係を示すグラフである。
【図６】本発明の送信回路の他の実施の形態を示すブロック図である。
【図７】従来の、ＨＰＳＫ変調方式を用いた送信回路の一構成例を示すブロック図である。
【符号の説明】
【００９３】
１    ＣＰＵ
２    送信レベル回路
３ａ，３ｂ    βオフセット回路
４    電圧生成回路
５，４１，４３    デジタルアナログ変換器
６    ＡＧＣアンプ
７    ＲＦ回路
８    アンテナ
１０，１１    ベースバンド回路
２０〜２５    乗算器
２６    合成回路
３０    ＨＰＳＫ変調回路
４０，４２    デジタルフィルタ
５０    直交変調器
【図１】
0004492820.tif 000002
【図２】
0004492820.tif 000003
【図３】
0004492820.tif 000004
【図４】
0004492820.tif 000005
【図５】
0004492820.tif 000006
【図６】
0004492820.tif 000007
【図７】
0004492820.tif 000008